(57)【要約】【課題】オフィス空間における残響時間を短縮することにより、会話等がクリヤーかつ聞き取り易い音環境を容易に実現することができる実用的な残響音低減装置を提供する。【解決手段】オフィス空間内に配置された、収納家具１の前面板１６，１６に、板厚方向に貫通する多数の微細孔１６ａ，…を穿設した。収納家具１内に残存する未使用の空間を前面板１６，１６に穿設された多数の微細孔１６ａ，…が持っている音響インピーダンスに対応する空気層として、収納家具１の外部の音源に対して振動系を形成させ、共振周波数の近傍では高い吸音率を得ることができると共に低周波域においても有効に機能する吸音装置を構成し、オフィス空間の残響時間を大幅に低減する。また、残響音低減装置を設置する寸法上の制約を受けることなく、未使用空間を有効に活用する。【選択図】図６
2007183447.tif 000002
【特許請求の範囲】
【請求項１】
オフィス空間内に配置された、開き戸、引き戸又は引出しを備えた収納家具の前面板に、板厚方向に貫通する多数の微細孔を穿設してなる残響音低減装置。
【請求項２】
オフィス空間内に配置された収納家具と天井面との間に設けられ、収納家具の天板、天井面及び壁面とにより仕切られた空間を形成する、壁面方向に開放する平面視略コ字状の凹部を有するパネル体の前面板、収納家具の天板、天井面若しくは壁面とにより仕切られた空間を形成する、下面、上面若しくは後面が開口とされた箱状のパネル体の前面板、又は、外形が直方体であり単体で仕切られた空間を形成する箱状のパネル体の前面板に、板厚方向に貫通する多数の微細孔を穿設してなる残響音低減装置。
【請求項３】
オフィスの左右壁面間又は柱間にわたり後壁面に沿って配置された収納家具の上側空間の前側を塞ぐパネル板を設け、該パネル板に、板厚方向に貫通する多数の微細孔を穿設してなる残響音低減装置。
【請求項４】
オフィスの床面上に載置又は固定されたパーティションの枠体により保持され、該枠体とにより仕切られた空間を形成する、所定距離を隔てて相対する複層のパネル板の最外側の２枚のパネル板の少なくとも一方に、板厚方向に貫通する多数の微細孔を穿設してなる残響音低減装置。
【請求項５】
オフィスの天井面に固定された垂れ壁又は前記天井面に着脱可能な取付具により取付けられた垂れ壁の上下の横架部材により保持され、該横架部材と垂れ壁左右端の壁面、柱又は閉止板とにより仕切られた空間を形成する、所定距離を隔てて相対する複層のパネル板の最外側の２枚のパネル板の少なくとも一方に、板厚方向に貫通する多数の微細孔を穿設してなる残響音低減装置。
【発明の詳細な説明】
【技術分野】
【０００１】
本発明は、オフィス空間に用いられる残響音低減装置に関するものである。
【背景技術】
【０００２】
最近のオフィス空間における特徴として、従業員相互の連携作業の効率化を図るために１区画の面積が広くなっていること、明るく開放感を持たせるためにガラスを多用したカーテンウォールによって窓開口が拡大していること、及び、区画間の間仕切りにもガラスが多用されていること、等が挙げられる。したがって、オフィス空間の表面積に含まれる窓ガラスやフローリング床など音響的に剛な部分の面積の割合が高くなっており、その結果として、オフィス空間内の吸音性能が低下し、一方ではオフィス面積の拡大化に伴ってオフィス壁間距離が遠くなり固有反射音周波数が低くなった結果、特に低周波帯域において残響時間が長くなっている。ここで、音源が停止した後に室内に音が残る現象である残響、該残響を量的に表した残響時間及び残響式等については、公知となっている（非特許文献１参照）。
【０００３】
また、残響時間を短縮する構成を開示するものではないが、板厚方向に貫通する多数の円形微細孔を備えた１枚以上の微細孔明き板を、音源と音響的に剛な壁体との中間に所定距離を隔てて配置してなる構成が吸音装置として利用できることが知られている（非特許文献２参照）。
【０００４】
さらに、本願の発明者により、板厚方向に貫通する多数の円形微細孔を設けた２層以上の音響パネルを所定間隙を介して相対して配置し、これら音響パネルを音源に対して所定距離を隔てて配置することにより、前記微細孔からの微量な空気漏れに基づく有効な音響レジスタンスの存在により、低周波域を含む広い周波数域にわたって吸音効果を発揮させることができる吸音装置が開示されている（特許文献１参照）。
【０００５】
さらにまた、本願の発明者により、微細孔明き板において、板厚方向に貫通する円形断面を入口側と出口側の間で拡大又は縮小させることにより、従来の同一断面微細孔明き板よりも大きな音響インピーダンスを実現することができ、これにより微細孔と空気層で構成される振動系の共振周波数即ち吸音率ピーク周波数を低周波側に移行させ、さらに吸音帯域幅を従来装置よりも拡大することができる音響パネル及び吸音・遮音装置が開示されている（特許文献２参照）。
【０００６】
また、本願の発明者により、微細孔明き板の音源側表面に、所要の厚さの無孔板を配置することによって、微細孔明き板の音響インピーダンスに無孔板が持つ音響リアクタンスを付加することにより、従来の微細孔明き板よりも大きな音響インピーダンスを実現することができ、これにより共振周波数即ち吸音率ピーク周波数を低周波側に移行させることができる音響パネル及び吸音・遮音装置に係る発明がなされている（特許文献３参照）。
【０００７】
さらに、本願の発明者により、微細孔明き板を母材と多数の嵌め込み部材とで構成し、嵌め込み部材には所要の音響インピーダンスを持つ微細孔を嵌め込み操作に先立って予め貫通加工させることにより、微細孔を直接に孔明け加工が困難な材質、あるいは大きな板厚を有する母材を用いた音響パネルが開示されている（特許文献４参照）。
【０００８】
さらにまた、本願の発明者により、板厚方向に貫通する多数の微細孔を設けた微細孔明き板において、該微細孔明き板の板厚方向に直交する切断面において、周壁により囲まれる微細孔形状を非円形とし、アスペクト比を調整することによって、微細孔明き板の音響インピーダンスを構成する音響レジスタンスと音響リアクタンスの比率を制御することにより、従来の同一断面積を有する円形微細孔明き板よりも大きな音響インピーダンスを実現することができ、これにより微細孔と空気層で構成される振動系の共振周波数即ち吸音率ピーク周波数を低周波側に移行させ、さらに吸音帯域幅を従来装置よりも拡大することができる音響パネル及び吸音・遮音装置に係る発明がなされている（特願２００５−０７９２５１号。以下において「先願１」という。）。
【０００９】
また、本願の発明者により、住宅のリビングルーム等の居室に用いられる残響音低減装置に係る発明がなされている（特願２００５−３５７３１９号。以下において「先願２」という。）。
【００１０】
【非特許文献１】前川純一，森本政之，阪上公博著，「建築・環境音響学」，第２版，共立出版          株式会社，２０００年９月２５日，p.13-14，p.51-52
【非特許文献２】Maa Dah-You, "Potential of microperforated panel absorber", Journal of           the Acoustical Society of America,（U.S.A.）, Nov. 1998, Vol.104, No          .5, p.2861-2866
【特許文献１】特開２００５−１７３３９８号公報（図１−４６）
【特許文献２】特開２００５−３１２４０号公報（図１−１４）
【特許文献３】特開２００５−２７３２７３号公報（図１−３３）
【特許文献４】特開２００５−２３６１９号公報（図１−７）
【発明の開示】
【発明が解決しようとする課題】
【００１１】
前記のとおりオフィス空間内の吸音性能が低下し、特に低周波帯域において残響時間が長くなっているため、会話等が聞き取りにくくなって職務遂行に支障を来たす場合があることから、作業性が低下すること及びストレスが増大すること等の問題点がある。このような最近のオフィス空間における音環境の悪化という問題を実用的な構成により解決することが急務であるといえる。
【００１２】
本発明は、このような問題点を解決するためになされたものであり、オフィス空間における残響時間を短縮することにより会話等が聞き取り易い音環境を容易に実現することができる実用的な残響音低減装置を提供することを目的とする。
【課題を解決するための手段】
【００１３】
本発明に係る残響音低減装置は、前記課題解決のために、オフィス空間内に配置された、開き戸、引き戸又は引出しを備えた収納家具の前面板に、板厚方向に貫通する多数の微細孔を穿設してなるものである。
【００１４】
また、本発明に係る残響音低減装置は、前記課題解決のために、オフィス空間内に配置された収納家具と天井面との間に設けられ、収納家具の天板、天井面及び壁面とにより仕切られた空間を形成する、壁面方向に開放する平面視略コ字状の凹部を有するパネル体の前面板、収納家具の天板、天井面若しくは壁面とにより仕切られた空間を形成する、下面、上面若しくは後面が開口とされた箱状のパネル体の前面板、又は、外形が直方体であり単体で仕切られた空間を形成する箱状のパネル体の前面板に、板厚方向に貫通する多数の微細孔を穿設してなるものである。
【００１５】
さらに、本発明に係る残響音低減装置は、前記課題解決のために、オフィスの左右壁面間又は柱間にわたり後壁面に沿って配置された収納家具の上側空間の前側を塞ぐパネル板を設け、該パネル板に、板厚方向に貫通する多数の微細孔を穿設してなるものである。
【００１６】
さらにまた、本発明に係る残響音低減装置は、前記課題解決のために、オフィスの床面上に載置又は固定されたパーティションの枠体により保持され、該枠体とにより仕切られた空間を形成する、所定距離を隔てて相対する複層のパネル板の最外側の２枚のパネル板の少なくとも一方に、板厚方向に貫通する多数の微細孔を穿設してなるものである。
【００１７】
また、本発明に係る残響音低減装置は、前記課題解決のために、オフィスの天井面に固定された垂れ壁又は前記天井面に着脱可能な取付具により取付けられた垂れ壁における上下の横架部材により保持され、該横架部材と垂れ壁左右端の壁面、柱又は閉止板とにより仕切られた空間を形成する、所定距離を隔てて相対する複層のパネル板の最外側の２枚のパネル板の少なくとも一方に、板厚方向に貫通する多数の微細孔を穿設してなるものである。
【発明の効果】
【００１８】
本発明に係る残響音低減装置によれば、オフィス空間内に配置された、開き戸、引き戸又は引出しを備えた収納家具の前面板に、板厚方向に貫通する多数の微細孔を穿設してなるので、前記収納家具内に残存する未使用の空間を前記前面板に穿設された多数の微細孔が持っている音響インピーダンスに対応する空気層として、前記収納家具の外部の音源に対する振動系を形成し、該振動系の共振周波数の近傍では高い吸音率を得ることができると共に低周波域においても有効に機能する吸音装置を構成することができるため、オフィス空間の残響時間を大幅に低減することができるという顕著な効果を奏する。また、残響音低減装置を設置する寸法上の制約を受けることなく、未使用空間を有効に活用することができる。
【００１９】
また、本発明に係る残響音低減装置によれば、オフィス空間内に配置された収納家具と天井面との間に設けられ、収納家具の天板、天井面及び壁面とにより仕切られた空間を形成する、壁面方向に開放する平面視略コ字状の凹部を有するパネル体の前面板、収納家具の天板、天井面若しくは壁面とにより仕切られた空間を形成する、下面、上面若しくは後面が開口とされた箱状のパネル体の前面板、又は、外形が直方体であり単体で仕切られた空間を形成する箱状のパネル体の前面板に、板厚方向に貫通する多数の微細孔を穿設してなるので、前記空間を前記前面板に穿設された多数の微細孔が持っている音響インピーダンスに対応する空気層として、前記パネル体の外部の音源に対する振動系を形成し、該振動系の共振周波数の近傍では高い吸音率を得ることができると共に低周波域においても有効に機能する吸音装置を構成することができるため、オフィス空間の残響時間を大幅に低減することができるという顕著な効果を奏する。また、残響音低減装置を設置する寸法上の制約を受けることなく、未使用空間を有効に活用することができる。
【００２０】
さらに、本発明に係る残響音低減装置によれば、オフィスの左右壁面間又は柱間にわたり後壁面に沿って配置された収納家具の上側空間の前側を塞ぐパネル板を設け、該パネル板に、板厚方向に貫通する多数の微細孔を穿設してなるので、前記空間を前記パネル板に穿設された多数の微細孔が持っている音響インピーダンスに対応する空気層として、前記空間及びパネル板の外部の音源に対する振動系を形成し、該振動系の共振周波数の近傍では高い吸音率を得ることができると共に低周波域においても有効に機能する吸音装置を構成することができるため、オフィス空間の残響時間を大幅に低減することができるという顕著な効果を奏する。また、残響音低減装置を設置する寸法上の制約を受けることなく、未使用空間を有効に活用することができる。
【００２１】
さらにまた、本発明に係る残響音低減装置によれば、オフィスの床面上に載置又は固定されたパーティションの枠体により保持され、該枠体とにより仕切られた空間を形成する、所定距離を隔てて相対する複層のパネル板の最外側の２枚のパネル板の少なくとも一方に、板厚方向に貫通する多数の微細孔を穿設してなるので、前記空間を前記パネル板に穿設された多数の微細孔が持っている音響インピーダンスに対応する空気層として、前記パーティションの外部の音源に対する振動系を形成し、該振動系の共振周波数の近傍では高い吸音率を得ることができると共に低周波域においても有効に機能する吸音装置を構成することができるため、オフィス空間の残響時間を大幅に低減することができるという顕著な効果を奏する。また、残響音低減装置を設置する寸法上の制約を受けることなく、未使用空間を有効に活用することができる。
【００２２】
また、本発明に係る残響音低減装置によれば、オフィスの天井面に固定された垂れ壁又は前記天井面に着脱可能な取付具により取付けられた垂れ壁における上下の横架部材により保持され、該横架部材と垂れ壁左右端の壁面、柱又は閉止板とにより仕切られた空間を形成する、所定距離を隔てて相対する複層のパネル板の最外側の２枚のパネル板の少なくとも一方に、板厚方向に貫通する多数の微細孔を穿設してなるので、前記空間を前記パネル板に穿設された多数の微細孔が持っている音響インピーダンスに対応する空気層として、前記垂れ壁の外部の音源に対する振動系を形成し、該振動系の共振周波数の近傍では高い吸音率を得ることができると共に低周波域においても有効に機能する吸音装置を構成することができるため、オフィス空間の残響時間を大幅に低減することができるという顕著な効果を奏する。また、残響音低減装置を設置する寸法上の制約を受けることなく、未使用空間を有効に活用することができる。
【発明を実施するための最良の形態】
【００２３】
残響の少ない快適な音環境とは、音響学で定義される残響時間の短い環境ということができるが、拡散音場での残響時間の理論的な導出は既に完成されており、例えばSabineの残響式として、次式が知られている。
【００２４】
【数１】
2007183447.tif 000003
【００２５】
ここに、Ｔは残響時間、Ｖは室空間の容積、αは使用材料の吸音率、Ａは使用吸音材料の表面積であり、（式１）の分母は吸音率の異なる材料ごとに吸音率と使用面積の積、即ち吸音力の累計を表している（非特許文献１参照）。
【００２６】
通常の室空間における残響時間は、低周波域においては長く、周波数が高くなるほど短くなる傾向を持っているが、これは、室の壁面、天井面及び床面並びに室内に配置される家具等が持つ吸音率が、低周波域においては小さく、高周波域においては大きくなる一般的傾向を持っているので、室内に存在する音波が前記壁面、天井面及び床面並びに家具等の表面で反射を繰り返すうちに吸収されて減衰する程度が、低周波域の音波ほど小さく、高周波域の音波ほど大きいことに起因しているからであると考えられる。
【００２７】
例えば、従来から吸音材として多用されているグラスウールとして、厚さ４０ｍｍ、流れ抵抗１００００Ｐａ・ｓ／ｍの物性値を持つ場合の音場入射吸音率（非特許文献１、１６頁、５１頁、８１頁、２０６頁）は、図１に示す如く、１２５Ｈｚにおいて最低であり、周波数が高くなるにつれて少しずつ増加し、１６００Ｈｚにおいて最大となり、それ以上は略同じ値を有する特性を有するので、低周波域になるほど残響音低減能力が小さくなることがわかる。
【００２８】
一方、微細孔明き板は、低周波域において高い吸音率を有するという特長を持っているため、本願の発明者は、このような微細孔明き板を室内に所要の面積だけ配置すれば、従来は残響音低減が困難であった低周波域に対しても、残響時間の周波数特性を大幅に改善できることに着眼したものであり（先願２参照）、以下において、そのような作用効果について数値例に基づいて説明する。
【００２９】
たとえば、孔径０．６ｍｍ、孔ピッチ１０．０ｍｍの円形微細孔を、板厚０．６ｍｍの鉄板に孔明けした微細孔明き板（表1参照。以下において数値例＃１という。）を、音響的に剛な壁面に対して距離４００ｍｍを隔てて配設した場合の音場入射吸音率（非特許文献１、７７頁）の周波数特性計算値、及びこの微細孔明き板２００平方メートルの吸音力は表２に示すとおりであり、この音場入射吸音率の周波数特性計算値をグラフ化したものが図２であり、２００Ｈｚから２５０Ｈｚ付近で吸音率が最も高い値を示し、周波数が高くなるにつれて、吸音率が次第に低くなる傾向を持つことがわかる。
【００３０】
【表１】
2007183447.tif 000004
【００３１】
【表２】
2007183447.tif 000005
【００３２】
孔径０．６ｍｍ、孔ピッチ７．０ｍｍの円形微細孔を、板厚０．６ｍｍの鉄板に孔明けした微細孔明き板（表３参照。以下において数値例＃２という。）の２層を互いに距離８０ｍｍを隔てて配設した場合の音場入射吸音率の周波数特性計算値、及び、この微細孔明き板３５０平方メートルの吸音力は表４に示すとおりであり、この音場入射吸音率の周波数特性計算値をグラフ化したものが図３であり、１２５Ｈｚから３１５Ｈｚ付近は吸音率が０．４と略一定値を有し、それより周波数が高くなるにつれて吸音率も高くなり、６３０Ｈｚで吸音率が最も高い値を示し、更に周波数が高くなるにつれて、吸音率が次第に低くなるが、２０００Ｈｚにおいても吸音率は０．１６７を維持している。
【００３３】
【表３】
2007183447.tif 000006
【００３４】
【表４】
2007183447.tif 000007
【００３５】
また、一例として、表５は容積６０００立方メートルを持つ室の残響時間及び室固有の吸音力（単位Sabine）を示すものである。
【００３６】
【表５】
2007183447.tif 000008
【００３７】
表２及び表４の微細孔明き板の吸音力を表５に示す室固有の吸音力に合算して得られた全吸音力を用いて、（式１）から算出した残響時間（表６）を、表５の残響時間と共にグラフ化したものが図４であり、吸音材料として微細孔明き板パネルを５５０平方メートル使用しただけで、周波数帯域の殆ど全域において残響時間が約０．７秒以下となり、会話等が聞き取り易い音響空間を形成することが可能となることが認められ、微細孔明き板パネルが低周波域でも優れた残響音低減性能を持っていることがわかる。
【００３８】
【表６】
2007183447.tif 000009
【００３９】
また、共鳴原理を利用した吸音装置を低周波域において共鳴機能、即ち吸音機能を発揮させるためには、共鳴要素部分即ち空気層の寸法が極めて大きくなるので、寸法上の制約を受けて使用を制限される場合が多いが、本願発明では、後述するように、共鳴要素部分を、収納家具の内部空間、収納家具の上側空間、パーティションの厚さ部分（パネル板間の空間）、垂れ壁の厚さ部分（パネル板間の空間）等を利用するので、寸法上の制約を受けることなく未使用空間を有効に活用して、吸音及び残響音低減に極めて有効に機能する特徴を持っている。
【００４０】
図５は、一般的なオフィス空間の例を示す概略断面図であり、該オフイス空間に配設する本発明の実施の形態に係る残響音低減装置も示している。すなわち、オフィス空間Ｓは、天井面ＣＬ、床面ＦＬ、壁面Ｗ等により周囲が覆われており、執務空間ＷＳ及び応接空間ＲＳ等に分けられる。そして、オフィス空間Ｓに要求される音環境に応じて、収納家具１による残響音低減装置、収納家具１と天井面ＣＬとの間の空間に設けられたパネル体２による残響音低減装置、パーティション３による残響音低減装置、垂れ壁４による残響音低減装置が配設される。
【００４１】
実施の形態１．
図５において、収納家具１は、オフィス空間Ｓ内に、壁面Ｗ又は通路等に沿って配置される、造り付けられたもの又は移設可能なものである。図６は本発明の実施の形態１に係る収納家具１による残響音低減装置の例を示す斜視図、図７は同じく縦断側面図、図８は同じく拡大縦断側面図である。なお、収納家具１の扉側を前、背板側を後とし、前方から後方を見た左右を左右とする。
【００４２】
収納家具１は、天板１１、底板１２、左右の側板１３，１４及び背板１５からなる本体の前面開口を、側板１３，１４の前部に設けられた図示しない蝶番により支持された左右の扉１６，１６により把手１７，１７を用いて開閉可能とされ、図示しないラッチ機構等により図６のように前面開口が閉ざされた状態が維持される。
【００４３】
収納家具１の内部は、棚板１８，１８により上下に仕切られ、収納物１９，…が上下に収納されるが、未使用の空間２０，…が残存する。また、左右の扉１６，１６の前面板には、板厚方向に貫通する多数の微細孔１６ａ，…が穿設される。ここで、微細孔１６ａの直径及び微細孔列１６ａ，…のピッチ等は、要求性能に応じて適宜設定されるが、該直径は１ｍｍ以下、該ピッチは０．８ｍｍ以上１０ｍｍ以下がより好ましい。
【００４４】
以上のような収納家具１により、前記空間２０，…を扉１６，１６の前面板に穿設された多数の微細孔１６ａ，…が持っている音響インピーダンスに対応する空気層として、図示しない収納家具１外部の音源に対する振動系を形成し、該振動系の共振周波数の近傍では高い吸音率を得ることができると共に低周波域においても有効に機能する吸音装置を構成することができるため（表３及び図３参照）、オフィス空間Ｓの残響時間を大幅に低減することができるという顕著な効果を奏する。
【００４５】
なお、板厚方向に貫通する多数の微細孔１６ａ，…が穿設される前面板を有する収納家具１は、両開きの扉１６，１６を有するものではなく片開きの扉を有するものであってもよい。また、収納家具に設けられた引き戸又は引出しの前面板に、板厚方向に貫通する多数の微細孔を穿設してもよい。
【００４６】
実施の形態２．
図５において、パネル体２は、オフィス空間Ｓ内に、壁面Ｗに沿って配置された収納家具１と天井面ＣＬとの間の空間に設けられる。図９は本発明の実施の形態２に係るパネル体２による残響音低減装置の例を示す斜視図、図１０は同じく拡大縦断側面図である。
【００４７】
パネル体２は、左右の側板２１，２２と前面板２３からなり、取付金具２４により例えば天井面ＣＬに取付けられる。そして、パネル体２は、壁面Ｗ方向に開放する平面視略コ字状の凹部を有するため、パネル体２、収納家具１の天板１１、天井面ＣＬ及び壁面Ｗにより仕切られた空間２５が形成される。
【００４８】
また、前面板２３には、板厚方向に貫通する多数の微細孔２３ａ，…が穿設される。ここで、微細孔２３ａの直径及び微細孔列２３ａ，…のピッチ等は、要求性能に応じて適宜設定されるが、該直径は１ｍｍ以下、該ピッチは０．８ｍｍ以上１０ｍｍ以下がより好ましい。
【００４９】
以上のようなパネル体２により、前記空間２５を前面板２３に穿設された多数の微細孔２３ａ，…が持っている音響インピーダンスに対応する空気層として、図示しないパネル体２外部の音源に対する振動系を形成し、該振動系の共振周波数の近傍では高い吸音率を得ることができると共に低周波域においても有効に機能する吸音装置を構成することができるため（表３及び図３参照）、オフィス空間Ｓの残響時間を大幅に低減することができるという顕著な効果を奏する。
【００５０】
なお、パネル体２は、壁面方向に開放する平面視略コ字状の凹部を有する形状に限定されるものではなく、下面、上面又は後面が開口とされた箱状のパネル体として、収納家具１の天板１１、天井面ＣＬ又は壁面Ｗとにより仕切られた空間を形成して、該箱状のパネル体の前面板に板厚方向に貫通する多数の微細孔を穿設してもよい。また、外形が直方体であり単体で仕切られた空間を形成する箱状のパネル体を収納家具１と天井面ＣＬとの間に配設し、該箱状のパネル体の前面板に板厚方向に貫通する多数の微細孔を穿設してもよい。
【００５１】
さらに、単又は複数の収納家具１が、その背板１５を後壁面Ｗに沿わせて、左右壁面Ｗ，Ｗ間又は柱間にわたって配置され、前記収納家具１の左右側面が左右壁面Ｗ，Ｗ又は柱に接しており、前記収納家具１の上側に、左右が左右壁面Ｗ，Ｗ又は柱、上が天井面ＣＬ、下が前記収納家具１の天板１１である空間が形成されている場合は、該空間の前側をパネル板で塞いで該パネル板に板厚方向に貫通する多数の微細孔を穿設してもよい。
【００５２】
実施の形態３．
図５において、パーティション３は、オフィス空間Ｓ内の床面ＦＬ上に、執務空間ＷＳと応接空間ＲＳとの間仕切、執務空間ＲＳ内の間仕切、又は、通路と執務空間ＷＳ若しくは応接空間ＲＳとの間仕切等として配置される。図１１は本発明の実施の形態３に係るパーティションによる残響音低減装置の例を示す正面図、図１２は同じく拡大縦断側面図である。なお、パーティション３は、床面ＦＬ上に載置されて移設可能なものであってもよいし、床面ＦＬに固定されるものであってもよい。
【００５３】
パーティション３は、上枠３１、下枠３２及び支柱である側枠３３，３４からなる枠体により、所定距離を隔てて相対するパネル板３５，３５を保持してなる。そして、パネル板３５，３５間には、上枠３１、下枠３２及び側枠３３，３４並びにパネル板３５，３５により仕切られた空間２６が形成される。
【００５４】
また、パネル板３５，３５には、板厚方向に貫通する多数の微細孔３５ａ，…が穿設される。ここで、微細孔３５ａの直径及び微細孔列３５ａ，…のピッチ等は、要求性能に応じて適宜設定されるが、該直径は１ｍｍ以下、該ピッチは０．８ｍｍ以上１０ｍｍ以下がより好ましい。なお、パネル板３５，…は２層以上、すなわち複層であればよい。また、２層のパネル板３５，３５の一方のみに板厚方向に貫通する多数の微細孔３５ａ，…を穿設してもよい。
【００５５】
以上のようなパーティション３により、前記空間３６をパネル板３５に穿設された多数の微細孔３５ａ，…が持っている音響インピーダンスに対応する空気層として、図示しないパーティション３外部の音源に対する振動系を形成し、該振動系の共振周波数の近傍では高い吸音率を得ることができると共に低周波域においても有効に機能する吸音装置を構成することができるため（表３及び図３参照）、オフィス空間Ｓの残響時間を大幅に低減することができるという顕著な効果を奏する。また、パーティション３のパネル板３５，３５の表面を通気性のある布や、薄いプラスチックフィルム等で覆うことにより、外観の意匠性を高めることができる。
【００５６】
実施の形態４．
図５において、垂れ壁４，…は、天井面ＣＬから垂れ下がった形状の壁である。図１３は、本発明の実施の形態４に係る垂れ壁による残響音低減装置の例を示す正面図、図１４は同じく縦断側面図である。
【００５７】
垂れ壁４は、上下の横架部材４１、４２によりパネル板４３，４３を保持してなり、取付ねじ４４，…により天井面ＣＬに固定され、左右壁面Ｗ，Ｗ間又は柱間にわたって配置される。そして、パネル板４３，４３間には、上下の横架部材４１，４２及び左右の壁面Ｗ，Ｗ、左右の柱又は左右の閉止板により仕切られた空間４５が形成される。
【００５８】
また、パネル板４３，４３には、板厚方向に貫通する多数の微細孔４３ａ，…が穿設される。ここで、微細孔４３ａの直径及び微細孔列４３ａ，…のピッチ等は、要求性能に応じて適宜設定されるが、該直径は１ｍｍ以下、該ピッチは０．８ｍｍ以上１０ｍｍ以下がより好ましい。なお、パネル板４３，…は２層以上、すなわち複層であればよい。また、２層のパネル板４３，４３の一方のみに板厚方向に貫通する多数の微細孔４３ａ，…を穿設してもよい。
【００５９】
以上のような垂れ壁４により、前記空間４５をパネル板４３に穿設された多数の微細孔４３ａ，…が持っている音響インピーダンスに対応する空気層として、図示しない垂れ壁４外部の音源に対する振動系を形成し、該振動系の共振周波数の近傍では高い吸音率を得ることができると共に低周波域においても有効に機能する吸音装置を構成することができるため（表３及び図３参照）、オフィス空間Ｓの残響時間を大幅に低減することができるという顕著な効果を奏する。
【００６０】
なお、図１５に示すように、垂れ壁４，…を天井面ＣＬに固定せずに、天吊りフック４６及び吊下げ金具４７等の着脱可能な取付具により着脱可能とすれば、オフィス空間Ｓに要求される音環境に応じて、既設のオフィス内に垂れ壁４，…による残響音低減装置を適宜位置に容易に設けることができる。
【００６１】
また、パネル板４３，…をアクリル又はポリカーボネート等の透明樹脂製とすれば、前記残響音低減装置を構成しながら、見通しを確保して圧迫感をなくすことができる。さらに、パネル板４３，…の表面に薄いフィルムを貼付することにより、外観の意匠性を高めることもできる。さらにまた、前記フィルムを案内標識として利用することもできる。また、パネル板４３，４３間の前記空間４５に照明器具を配設してもよい。
【００６２】
以上の説明における収納家具１の前面板、パネル体２の前面板、パーティション３のパネル板、垂れ壁４のパネル板等に形成する微細孔の形状は、微細孔の形成しやすさを考慮すると円形が望ましいといえるが、板厚方向に直交する切断面において非円形としてもよい。
【００６３】
このように微細孔の形状を非円形とすることにより、微細孔の形状が円形の場合よりも、空気の粘性に起因する摩擦損失が大きくなる。また、微細孔のアスペクト比を調整することによって、微細孔明き板の音響インピーダンスを構成する音響レジスタンスと音響リアクタンスの比率を制御することにより、従来の同一断面積を有する円形微細孔明き板よりも大きな音響インピーダンスを実現することができ、これにより微細孔と空気層で構成される振動系の共振周波数即ち吸音率ピーク周波数を低周波側に移行させ、さらに吸音帯域幅を拡大することができる（先願１参照）。したがって、吸音性能及び残響音低減効果が向上する。
【図面の簡単な説明】
【００６４】
【図１】グラスウールの音場入射吸音率の例を示す図である。
【図２】微細孔明き板を音響的に剛な壁面の前面に隔てて配設した場合の音場入射吸音率の周波数特性を示す図である。
【図３】微細孔明き板の２層を隔てて配設した場合の音場入射吸音率の周波数特性を示す図である。
【図４】残響時間の周波数特性を示す図である。
【図５】一般的なオフィス空間の例を示す概略断面図であり、該オフイス空間に配設する本発明の実施の形態に係る残響音低減装置も示している。
【図６】本発明の実施の形態１に係る収納家具による残響音低減装置の例を示す斜視図である。
【図７】同じく縦断側面図である。
【図８】同じく拡大縦断側面図である。
【図９】本発明の実施の形態２に係るパネル体による残響音低減装置の例を示す斜視図である。
【図１０】同じく拡大縦断側面図である。
【図１１】本発明の実施の形態３に係るパーティションによる残響音低減装置の例を示す正面図である。
【図１２】同じく拡大縦断側面図である。
【図１３】本発明の実施の形態４に係る垂れ壁による残響音低減装置の例を示す正面図である。
【図１４】同じく縦断側面図である。
【図１５】本発明の実施の形態４に係る垂れ壁による残響音低減装置の別の例を示す縦断側面図である。
【符号の説明】
【００６５】
Ｓ  オフィス空間
ＣＬ  天井
ＦＬ  床面
Ｗ  壁面
１  収納家具
２  パネル体
３  パーティション
４  垂れ壁
１１  天板
１２  底板
１３，１４  側板
１５  背板
１６  扉
１６ａ  微細孔
２０  空間
２１，２２  側板
２３  前面板
２３ａ  微細孔
２４  取付金具
２５  空間
３１  上枠
３２  下枠
３３，３４  側枠
３５  パネル板
３５ａ  微細孔
３６  空間
４１，４２  横架部材
４３  パネル板
４３ａ  微細孔
４４  取付ねじ
４５  空間
４６  天吊りフック
４７  吊下げ金具
【図１】
2007183447.tif 000010
【図２】
2007183447.tif 000011
【図３】
2007183447.tif 000012
【図４】
2007183447.tif 000013
【図５】
2007183447.tif 000014
【図６】
2007183447.tif 000015
【図７】
2007183447.tif 000016
【図８】
2007183447.tif 000017
【図９】
2007183447.tif 000018
【図１０】
2007183447.tif 000019
【図１１】
2007183447.tif 000020
【図１２】
2007183447.tif 000021
【図１３】
2007183447.tif 000022
【図１４】
2007183447.tif 000023
【図１５】
2007183447.tif 000024